(57)【特許請求の範囲】
【請求項１】
制御器により入り切りする自動開閉器に付設される開閉駆動用電源装置であって、
配電線路に併設された低圧配電線路から分岐して接続される低圧電源入力コネクタと、
この低圧電源入力コネクタに接続された整流回路と、
この整流回路の次段に接続され充電用コンデンサにより形成されたコンデンサブロックと、
自動開閉器の投入用マグネットコイルおよび遮断用マグネットコイルにそれぞれ接続される投入電源出力コネクタおよび遮断電源出力コネクタと、
コンデンサブロックの出力端と投入電源出力コネクタおよび遮断電源出力コネクタとの間にそれぞれあって前記制御器の指令により入り切りされる自動投入接点および自動遮断接点と、
前記自動投入接点と並列に接続された手動投入スイッチと、
前記自動遮断接点と並列に接続された手動遮断スイッチと、
を備えた開閉駆動用電源装置において、
外部電源入力コネクタと、
この外部電源入力コネクタと前記低圧電源入力コネクタと前記整流回路との間に接続され、整流回路への入力を外部電源入力コネクタと低圧電源入力コネクタのいずれかに切り換える電源入力切り換えスイッチと、
前記外部電源入力コネクタと接続ケーブルを介して着脱自在に接続され交流を供給する携帯充電器と、
を備えたことを特徴とする開閉駆動用電源装置。
【請求項２】
制御器により入り切りする自動開閉器に付設される開閉駆動用電源装置であって、
高圧側コンデンサと低圧側コンデンサを直列接続して、高圧側端部を配電線路と接続し低圧側端部を接地と接続した分圧回路と、
この分圧回路の低圧側コンデンサに一次巻線を接続した変圧器と、
この変圧器の二次巻線に接続された整流回路と、
この整流回路の次段に接続され充電用コンデンサにより形成されたコンデンサブロックと、
自動開閉器の投入用マグネットコイルおよび遮断用マグネットコイルにそれぞれ接続される投入電源出力コネクタおよび遮断電源出力コネクタと、
コンデンサブロックの出力端と投入電源出力コネクタおよび遮断電源出力コネクタとの間にそれぞれあって前記制御器の指令により入り切りされる自動投入接点および自動遮断接点と、
前記自動投入接点と並列に接続された手動投入スイッチと、
前記自動遮断接点と並列に接続された手動遮断スイッチと、
を備えた開閉駆動用電源装置において、
外部電源入力コネクタと、
この外部電源入力コネクタと前記変圧器の二次巻線と前記整流回路との間に接続され、整流回路への入力を外部電源入力コネクタと変圧器二次巻線のいずれかに切り換える電源入力切り換えスイッチと、
前記外部電源入力コネクタと接続ケーブルを介して着脱自在に接続され交流を供給する携帯充電器と、
を備えたことを特徴とする開閉駆動用電源装置。
【請求項３】
請求項１または２記載の開閉駆動用電源装置において、
携帯充電器内に、電池と電池の残量表示器と電池の投入スイッチと電池電圧を所定電圧に変換するインバータとを内蔵したことを特徴とする開閉駆動用電源装置。
【請求項４】
制御器により入り切りする自動開閉器に付設される開閉駆動用電源装置であって、
自動開閉器に設けられて自動開閉器の投入用マグネットコイルおよび遮断用マグネットコイルにそれぞれ接続される投入電源入力コネクタおよび遮断電源入力コネクタと、
これらのコネクタと接続ケーブルを介して着脱自在に接続される携帯電源装置と、
を備え、この携帯電源装置は、
電池と、
電池の残量表示器と、
電池の投入スイッチと、
電池電圧を所定電圧に変換するインバータと、
インバータの出力を整流する整流回路と、
整流回路の次段に接続され充電用コンデンサにより形成されたコンデンサブロックと、
コンデンサブロックの端子電圧をレベル表示する電圧レベル表示器と、
コンデンサブロックの出力端を投入電源回路と遮断電源回路とに分岐しそれぞれに接続された手動投入スイッチおよび手動遮断スイッチと、
投入電源回路および遮断電源回路にそれぞれ接続された投入電源出力コネクタおよび遮断電源出力コネクタと、
により構成されたことを特徴とする開閉駆動用電源装置。
【発明の詳細な説明】
【０００１】
【発明の属する技術分野】
本発明は、事故復旧や配電機器更新等の工事の際、自動開閉器の接点の開閉動作をする開閉駆動用電源装置に関する。
【０００２】
【従来の技術】
従来、事故復旧あるいは配電機器更新等の工事の際、停電区間の縮小・時間短縮はもとより、配電線路の系統切替や分割作業を迅速化・軽減化するため、遠方の指令所から搬送信号を介して開閉器の入り切り操作を行う配電自動化システムが構築されている。
それら配電線路に配設される自動開閉器は、下記（イ），（ロ），（ハ）の動作状態がある。
【０００３】
（イ）手動操作「入」の場合
投入コイル又は保持コイルへの操作電源の供給有無にかかわらず開閉接点「入」状態を保持する。
（ロ）手動操作「切」の場合であって操作電源が供給されている場合
指令所からの入り切り指令に応じて開閉接点「入」又は「切」状態を保持する。これを自動操作状態と言う。
（ハ）手動操作「切」の場合であって操作電源が供給されていな場合
指令所からの入り切り指令があるにもかかわらず開閉接点「切」状態を保持する。
【０００４】
このように、自動操作機構と手動操作機構を兼ね備えることは無理であり、指令所から完全自動により開閉接点を「入」又は「切」状態に操作できるものではない。そのため、一旦、手動操作「入」に切り換えて強制的に開閉接点を「入」状態として操作電源の供給を確保した後、手動操作「切」に切り換えて指令所からの指令により配電線路の状況に応じて開閉接点の入り切り操作が行われている。
【０００５】
ところで、接点の開閉動作をする開閉駆動用電源装置は、例えば実公平7-35261号公報に記載されているように、電源用変圧器を開閉器に内蔵して、一次巻線を配電線路と接続し、二次巻線から変圧された電圧を取り出している。または、特願平11-119243号に記載のように開閉器と一体的にコンデンサ分圧器が付設され、一方の電極が配電線路側に接続される第一の分圧コンデンサと一方の電極が接地側に接続される第二の分圧コンデンサとを直列に接続し、この第二の分圧コンデンサと並列に充電回路と整流回路と充電用コンデンサとを接続して電源を取り出している。
【０００６】
【発明が解決しようとする課題】
しかしながら、これらの開閉駆動用電源装置は、一般に数kVA以上の電源容量 を必要とするため、電源用変圧器や分圧コンデンサが配電線路の電圧に応じて大型化されていた。特に、都市部においては、地価高騰による用地取得難、生活機能集中に伴う諸設備との共存、路上設置に対する都市景観上の制限等のため配電設備の小型化が要請されているにもかかわらず、開閉駆動用電源装置は小型化が困難であった。
【０００７】
また、自動開閉器は、上述のように配電線路の停電事故時に手動操作による接点開閉動作機構が付加されている。しかし、現地において事故復旧または配電設備更新等の工事の際に、配電線路が健全復帰しなければ自動操作機構が正常に機能するか否かを事前チェックできない不都合があった。また、定期的な保守点検作業の際も、現地で簡易的に「入」「切」操作のチェックができることが望まれている。
【０００８】
そこで本発明は、都市化の進展や用地取得難等のため配電設備スペースが極めて限定されている状況のなかで、開閉器本体の小型化を実現し、あわせて、現地において事故復旧または配電設備更新等の工事の際に、自動操作機構が正常に機能するか否か事前にチェック可能とし、また定期的な保守点検作業時でも簡易的に「入」「切」操作のチェックを可能にする開閉駆動用電源装置を提供することを課題とした。
【０００９】
【課題を解決するための手段】
そこで上記課題を解決するために、請求項１の発明は、制御器により入り切りする自動開閉器に付設される開閉駆動用電源装置であって、配電線路に併設された低圧配電線路から分岐して接続される低圧電源入力コネクタと、この低圧電源入力コネクタに接続された整流回路と、この整流回路の次段に接続され充電用コンデンサにより形成されたコンデンサブロックと、自動開閉器の投入用マグネットコイルおよび遮断用マグネットコイルにそれぞれ接続される投入電源出力コネクタおよび遮断電源出力コネクタと、コンデンサブロックの出力端と投入電源出力コネクタおよび遮断電源出力コネクタとの間にそれぞれあって前記制御器の指令により入り切りされる自動投入接点および自動遮断接点と、前記自動投入接点と並列に接続された手動投入スイッチと、前記自動遮断接点と並列に接続された手動遮断スイッチとを備えた開閉駆動用電源装置において、外部電源入力コネクタと、この外部電源入力コネクタと前記低圧電源入力コネクタと前記整流回路との間に接続され、整流回路への入力を外部電源入力コネクタと低圧電源入力コネクタのいずれかに切り換える電源入力切り換えスイッチと、前記外部電源入力コネクタと接続ケーブルを介して着脱自在に接続され交流を供給する携帯充電器とを備えたことを特徴とする。
【００１０】
請求項２の発明は、制御器により入り切りする自動開閉器に付設される開閉駆動用電源装置であって、高圧側コンデンサと低圧側コンデンサを直列接続して、高圧側端部を配電線路と接続し低圧側端部を接地と接続した分圧回路と、この分圧回路の低圧側コンデンサに一次巻線を接続した変圧器と、この変圧器の二次巻線に接続された整流回路と、この整流回路の次段に接続され充電用コンデンサにより形成されたコンデンサブロックと、自動開閉器の投入用マグネットコイルおよび遮断用マグネットコイルにそれぞれ接続される投入電源出力コネクタおよび遮断電源出力コネクタと、コンデンサブロックの出力端と投入電源出力コネクタおよび遮断電源出力コネクタとの間にそれぞれあって前記制御器の指令により入り切りされる自動投入接点および自動遮断接点と、前記自動投入接点と並列に接続された手動投入スイッチと、前記自動遮断接点と並列に接続された手動遮断スイッチとを備えた開閉駆動用電源装置において、外部電源入力コネクタと、この外部電源入力コネクタと前記変圧器の二次巻線と前記整流回路との間に接続され、整流回路への入力を外部電源入力コネクタと変圧器二次巻線のいずれかに切り換える電源入力切り換えスイッチと、前記外部電源入力コネクタと接続ケーブルを介して着脱自在に接続され交流を供給する携帯充電器とを備えたことを特徴とする。
【００１１】
請求項３の発明は、請求項１または２記載の発明において、携帯充電器内に、電池と電池の残量表示器と電池の投入スイッチと電池電圧を所定電圧に変換するインバータとを内蔵したことを特徴とする。
【００１２】
請求項４の発明は、制御器により入り切りする自動開閉器に付設される開閉駆動用電源装置であって、
自動開閉器に設けられて自動開閉器の投入用マグネットコイルおよび遮断用マグネットコイルにそれぞれ接続される投入電源入力コネクタおよび遮断電源入力コネクタと、
これらのコネクタと接続ケーブルを介して着脱自在に接続される携帯電源装置と、
を備え、この携帯電源装置は、
電池と、
電池の残量表示器と、
電池の投入スイッチと、
電池電圧を所定電圧に変換するインバータと、
インバータの出力を整流する整流回路と、
整流回路の次段に接続され充電用コンデンサにより形成されたコンデンサブロックと、
コンデンサブロックの端子電圧をレベル表示する電圧レベル表示器と、
コンデンサブロックの出力端を投入電源回路と遮断電源回路とに分岐しそれぞれに接続された手動投入スイッチおよび手動遮断スイッチと、
投入電源回路および遮断電源回路にそれぞれ接続された投入電源出力コネクタおよび遮断電源出力コネクタと、
により構成されたことを特徴とする。
【００１４】
【発明の実施の形態】
以下、図に沿って本発明の実施形態を説明する。
図１は請求項１の発明の実施形態の構成を示す図である。
図において、１は状態保持機構付きの自動開閉器操作電源箱であり、２は携帯充電器であり、両者は接続ケーブル３により接続される。携帯充電器２は、電池２１、電池の残量を表示する残量表示器２２、投入スイッチであるところのメインスイッチ２３、インバータ２４、通過電流表示器２５等により構成され、メインスイッチ２３が投入されると、電池２１から直流電流がインバータ２４に送られ、交流に変換されてから所定の電圧に変換され、通過電流表示器２５を経て、ＡＣ出力コネクタ２６へ送られる。
【００１５】
なお、２７はＤＣ入力コネクタであり、シガライタソケットから電源を入力させる際に用いられる。コネクタ２６へ送られた電流は、接続ケーブル３を介して、電源箱１の外部電源入力コネクタ１１へ入力される。また、電源箱１には低圧電源入力コネクタ１２が設けられており、図示しないが、自動開閉器が接続されている配電線路に併設された低圧配電線路から分岐した電源が入力される。コネクタ１１およびコネクタ１２に入力された電源は、電源入力切り換えスイッチ１３に入力され、いずれか一方が整流回路１４へ送られる。
【００１６】
整流回路１４は入力された交流を整流して、コンデンサブロック１５へ送る。コンデンサブロック１５は充電用コンデンサにより形成されており、送られてきた電流が蓄えられる。次にコンデンサブロック１５の出力は２つの回路に分岐され、一方を投入電源回路として、手動投入押しボタンＰＢ1と自動投入接点Ｘ1が並列接続されてから投入電源出力コネクタ１６に接続されている。他方を遮断電源回路として、手動遮断押しボタンＰＢ2と自動遮断接点Ｘ2が並列接続されてから遮断電源出力コネクタ１７に接続されている。コネクタ１６，１７は、図示しないが、自動開閉器の投入用マグネットコイルおよび遮断用マグネットコイルにそれぞれ接続されている。
【００１７】
次にこの電源箱１および携帯充電器２の使用方法について説明する。最初に、電源箱１のコネクタ１６，１７が、自動開閉器の投入用マグネットコイルおよび遮断用マグネットコイルにそれぞれ接続されていて、かつ、電源入力切り換えスイッチ１３がコネクタ１１側に切り換えられていることを確認したら、接続ケーブル３を電源箱１および携帯充電器２に接続する。次に、携帯充電器２のメインスイッチ２３を投入して、インバータ２４から出力された交流電流を、接続ケーブル３を介して、電源箱１へ送る。送られた交流電流は、スイッチ１３を介して、整流回路１４へ入力されて整流され、コンデンサブロック１５へ送られて蓄えられる。
【００１８】
ここで、自動開閉器の投入用マグネットコイルを駆動しようとする場合は、手動投入押しボタンＰＢ１を押下する。すると、コネクタ１６を介して、電流が自動開閉器の投入用マグネットコイルに流れて、接点が投入される。また、自動開閉器の遮断用マグネットコイルを駆動しようとする場合は、手動遮断押しボタンＰＢ２を押下する。すると、コネクタ１７を介して、電流が自動開閉器の遮断用マグネットコイルに流れて、接点が遮断される。次に、電源入力切り換えスイッチ１３をコネクタ１２側に切り換えて、接続ケーブル３を電源箱１から外して終了する。
【００１９】
なお、図示していないが、接続ケーブル３をコネクタ１１に接続すると、自動的に電源入力切り換えスイッチ１３がコネクタ１１側に切り換えられるようにすることも可能である。
また、図示しないが、携帯充電器２側に電源入力切り換えスイッチ１３を設置する構成とすることも可能である。
【００２０】
図２は請求項２の発明の実施形態の構成を示す図である。
この実施形態は、電源箱１の一部を除いて図１と共通の構成であるので、同一部分は同一の符号を付して説明を省略し、異なる部分のみを説明する。
電源箱１側において、図示しない開閉器に接続される高圧配電線４と接地の間に、高圧側コンデンサＣ１と低圧側コンデンサＣ２を直列接続して、分圧回路１８を形成する。この低圧側コンデンサＣ２に、変圧器１９の一次巻線を接続し、二次巻線を電源入力切り換えスイッチ１３の入力に接続して、自動開閉操作の際の電源にしている。
この実施形態の使用方法および動作は図１の実施形態と同一であるので説明を省略する。
【００２１】
図３は、図１および図２の携帯充電器２の内部を示すブロック図である。携帯充電器２は、電池２１、電池の残量を表示する残量表示器２２、メインスイッチ２３、インバータ２４、通過電流表示器２５等により構成されている。
【００２２】
図４は、携帯充電器２と接続ケーブル３等の外観を示す斜視図である。図において、２０は本体上部に取り付けられた把手であり、２８は左側面下部に着脱自在に取り付けられるカバーであり、２９はその内側に形成されている電池ボックスである。正面には、残量表示器２２、通過電流表示器２５、メインスイッチ２３、ＡＣ出力コネクタ２６、ＤＣ入力コネクタ２７が配置されている。ＤＣ入力コネクタ２７には、シガライタプラグ付外部電源コード５が接続される。なお、出願人の試作によると、携帯充電器２の外形を縦３５０ｍｍ横１２０ｍｍ高さ２００ｍｍ重さ１．５ｋｇとすることができ、充分携帯に耐えられるものであった。
【００２３】
図５は請求項４の発明の実施形態の構成を示す図である。
図において、６は状態保持機構付きの自動開閉器であり、７は携帯電源装置であり、両者は接続ケーブル８により接続される。携帯電源装置７は、電池７１、電池の残量を表示する残量表示器７２、メインスイッチ７３、インバータ７４、整流回路７５、コンデンサブロック７６、電圧レベル表示器７７等により構成され、メインスイッチ７３が投入されると、電池７１から直流電流がインバータ７４に送られ、交流に変換されてから所定の電圧に変換され、整流回路７５へ送られる。
【００２４】
整流回路７５は入力された交流を整流して、コンデンサブロック７６へ送る。コンデンサブロック７６は充電用コンデンサにより形成されており、送られてきた電流が蓄えられるとともに、電圧レベルが電圧レベル表示器７７に表示される。次にコンデンサブロック７６の出力は２つの回路に分岐され、一方を投入電源回路として、手動投入押しボタンＰＢ3が接続されてからＤＣ出力コネクタ７８に接続されている。他方を遮断電源回路として、手動遮断押しボタンＰＢ4が接続されてからＤＣ出力コネクタ７８に接続されている。なお、７９はＤＣ入力コネクタであり、シガライタソケットから電源を入力させる際に用いられる。
【００２５】
次に、携帯電源装置７の使用方法について説明する。最初に、接続ケーブル８がコネクタ６１およびコネクタ７８に接続されていることを確認してから、メインスイッチ７３を投入して、インバータ７４へ電源を供給する。インバータ７４は入力された直流を交流に変換し所定電圧に変換してから整流回路７５へ入力する。整流回路７５へ入力された交流は整流され、コンデンサブロック７６へ送られて蓄えられる。電圧レベル表示器７７を確認し、１００％に達したらメインスイッチ７３を切る。
【００２６】
ここで、自動開閉器の投入用マグネットコイルを駆動しようとする場合は、手動投入押しボタンＰＢ3を押下する。すると、コネクタ７８および接続ケーブル８を介して、電流が自動開閉器の投入用マグネットコイルに流れて、接点が投入される。また、自動開閉器の遮断用マグネットコイルを駆動しようとする場合は、手動遮断押しボタンＰＢ4を押下する。すると、コネクタ７８および接続ケーブル８を介して、電流が自動開閉器の遮断用マグネットコイルに流れて、接点が遮断される。動作が終了したら押しボタンの押下を停止して、接続ケーブル８を外して、終了する。
【００２７】
図６は、図５の携帯電源装置７の内部を示すブロック図である。携帯電源装置７は、電池７１、電池の残量を表示する残量表示器７２、メインスイッチ７３、インバータ７４、整流回路７５、コンデンサブロック７６、電圧レベル表示器７７等により構成されている。
【００２８】
図７は、携帯電源装置７と接続ケーブル８等の外観を示す斜視図である。図において、７０は本体上部に取り付けられた把手であり、８１は左側面下部に着脱自在に取り付けられるカバーであり、８２はその内側に形成されている電池ボックスである。正面には、残量表示器７２、電圧レベル表示器７７、メインスイッチ７３、手動投入押しボタンＰＢ3、手動遮断押しボタンＰＢ4、ＤＣ出力コネクタ７８、ＤＣ入力コネクタ７９が配置されている。ＤＣ入力コネクタ７９には、シガライタプラグ付外部電源コード９が接続される。なお、出願人の試作によると、携帯電源装置７の外形を縦４００ｍｍ横１５０ｍｍ高さ３５０ｍｍ重さ５ｋｇとすることができ、充分携帯に耐えられるものであった。
【００２９】
図８は、自動開閉器内に設置されるマグネット充電方式による接点開閉駆動部の概略構成を示す図である。図において、９１は交流電源、９２は整流回路、９３は充電用コンデンサ、９４はスイッチ、９５は投入用マグネットコイル、９６は投入用バネである。スイッチ９４が投入されると、マグネットコイル９５が作動し、左方向に吸引され、それにより投入用バネ９６が右方向に引き延ばされて蓄勢される。ここで、電源部の電圧降下がないと仮定すると、投入時に必要なエネルギーＷc1は、数式１のように表される。
【００３０】
【数１】
Ｗc1＝Ｖ×Ｉ×ｓ〔Ｊ〕
【００３１】
ここで、Ｖはマグネット端子電圧〔Ｖ〕、Ｉは実効通電電流〔Ａ〕、ｓは通電時間〔ｓｅｃ〕であり、通電電流を３０Ａピーク値、０．２５秒通電時間の矩形波として概略計算すると、エネルギーＷc1は、数式２のように表せる。
【００３２】
【数２】
Ｗc1＝９０×３０×０．２５＝６７５〔Ｊ〕
【００３３】
また、一般的にコンデンサに蓄えられるエネルギーＷc1は、数式３のように表せる。
【００３４】
【数３】
Ｗc1＝１／２×Ｃ×Ｖc2〔Ｊ〕
【００３５】
但し、Ｃはコンデンサ容量〔Ｆ〕、Ｖcはコンデンサ充電電圧〔Ｖ〕である。
ここでＶcを１００〔Ｖ〕とすると、数１、数３により、マグネット充電方式 の場合に自動投入に必要なコンデンサ容量Ｃは、０．１３５〔Ｆ〕あれば、十分投入可能であることがわかる。
なお実施形態の携帯充電器２および携帯電源装置７に収納される電池としては、乾電池、ニッカドバッテリ、鉛シールバッテリ等が用いられる。
【００３６】
【発明の効果】
以上述べたように本発明によれば、携帯充電器または携帯電源装置を備えることで、その分、開閉駆動用電源装置が小型になるとともに、操作用電源が得られない場合でも、現地において事故復旧または配電設備更新等の工事の際に、自動開閉器の入り切り操作が円滑に行える。また、自動操作機構が正常に機能するか否かを事前にチェックすることが可能になるとともに、定期的な保守点検作業時にも簡易的に「入」「切」の操作チェックが行える。
【図面の簡単な説明】
【図１】請求項１の発明に係る実施形態の構成を示す図である。
【図２】請求項２の発明に係る実施形態の構成を示す図である。
【図３】図１および図２の携帯充電器の内部を示すブロック図である。
【図４】図１および図２の携帯充電器と接続ケーブル等の外観を示す斜視図である。
【図５】請求項４および５の発明に係る実施形態の構成を示す図である。
【図６】図５の携帯電源装置の内部を示すブロック図である。
【図７】図５の携帯電源装置と接続ケーブル等の外観を示す斜視図である。
【図８】マグネット充電方式による接点開閉駆動部の概略構成を示す図である。
【符号の説明】
１  自動開閉器操作電源箱
２  携帯充電器
３  接続ケーブル
４  高圧配電線
５  シガライタプラグ付外部電源コード
６  状態保持機構付自動開閉器
７  携帯電源装置
８  接続ケーブル
９  シガライタプラグ付外部電源コード
１１  外部電源入力コネクタ
１２  低圧電源入力コネクタ
１３  電源入力切り換えスイッチ
１４  整流回路
１５  コンデンサブロック
１６  投入電源出力コネクタ
１７  遮断電源出力コネクタ
１８  分圧回路
１９  変圧器
２０  把手
２１  電池
２２  残量表示器
２３  メインスイッチ
２４  インバータ
２５  通過電流表示器
２６  ＡＣ出力コネクタ
２７  ＤＣ入力コネクタ
２８  カバー
２９  電池ボックス
６１  コネクタ
７０  把手
７１  電池
７２  残量表示器
７３  メインスイッチ
７４  インバータ
７５  整流回路
７６  コンデンサブロック
７７  電圧レベル表示器
７８  ＤＣ出力コネクタ
７９  ＤＣ入力コネクタ
８１  カバー
８２  電池ボックス
９１  交流電源
９２  整流回路
９３  充電用コンデンサ
９４  スイッチ
９５  投入用マグネットコイル
９６  投入用バネ
Ｃ１  高圧側コンデンサ
Ｃ２  低圧側コンデンサ
ＰＢ1  手動投入押しボタン
ＰＢ2  手動遮断押しボタン
ＰＢ3  手動投入押しボタン
ＰＢ4  手動遮断押しボタン
Ｘ1  自動投入接点
Ｘ2  自動遮断接点
【図１】
0004023985.tif 000002
【図２】
0004023985.tif 000003
【図３】
0004023985.tif 000004
【図４】
0004023985.tif 000005
【図５】
0004023985.tif 000006
【図６】
0004023985.tif 000007
【図７】
0004023985.tif 000008
【図８】
0004023985.tif 000009